(57)【要約】【課題】患者が薬剤の出来上がる時間を正確に把握することが可能なサーバ装置及び調剤情報通知方法を提供する。【解決手段】薬局サーバ２０は、患者の有する携帯端末から、通信ネットワークを介して、処方箋情報を受信する通信部２１と、処方箋情報に含まれる薬剤に関する情報を解析する解析部２２と、解析部２２によって解析された薬剤に関する情報を出力する出力部２８と、薬剤に関する情報に基づいて、薬剤の出来上がる時間を予測する時間予測部２３とを備える。そして、通信部２１は、携帯端末へ予測した時間を送信する。【選択図】図３
2007188435.tif 000002
【特許請求の範囲】
【請求項１】
患者の有する端末装置から、通信ネットワークを介して、処方箋情報を受信する受信部と、
前記処方箋情報に含まれる薬剤に関する情報を解析する解析部と、
前記解析部によって解析された薬剤に関する情報を出力する出力部と、
前記薬剤に関する情報に基づいて、薬剤の出来上がる時間を予測する時間予測部と、
前記端末装置へ予測した時間を送信する送信部と
を備えることを特徴とするサーバ装置。
【請求項２】
前記端末装置から薬剤の配送要求を受信した場合、前記患者の住所及び出来上がった薬剤を関連づけて、配送指示を行う配送指示部を更に備えることを特徴とする請求項１に記載のサーバ装置。
【請求項３】
前記薬剤の費用のうち、患者が負担する費用を計算する計算部を更に備えることを特徴とする請求項１又は２に記載のサーバ装置。
【請求項４】
患者の有する端末装置から、通信ネットワークを介して、処方箋情報を受信するステップと、
前記処方箋情報に含まれる薬剤に関する情報を解析するステップと、
前記解析された薬剤に関する情報を出力するステップと、
前記薬剤に関する情報に基づいて、薬剤の出来上がる時間を予測するステップと、
前記端末装置へ予測した時間を送信するステップと
を含むことを特徴とする調剤情報通知方法。
【発明の詳細な説明】
【技術分野】
【０００１】
本発明は、サーバ装置及び調剤情報通知方法に関する。
【背景技術】
【０００２】
従来、医師から患者に対して、薬剤の処方箋が発行されると、患者はその処方箋を持って調剤薬局等へ出向いてその処方箋を薬剤師に提出し、薬剤を調剤してもらうことが行われている。
【０００３】
又、患者が調剤前に予めＦＡＸにより処方箋を調剤薬局に送信したり、処方箋の内容を携帯電話のメール機能により調剤薬局に送信したりすることにより、患者の待ち時間を軽減する構成が考えられている（例えば、特許文献１参照。）。
【特許文献１】特開２００５−１３７４４３号公報
【発明の開示】
【発明が解決しようとする課題】
【０００４】
しかしながら、事前に処方箋データを調剤薬局へ送信しても、患者側はいつ薬剤が出来上がるかを把握することは困難であった。
【０００５】
そこで、本発明は、上記の課題に鑑み、患者が薬剤の出来上がる時間を正確に把握することが可能なサーバ装置及び調剤情報通知方法を提供することを目的とする。
【課題を解決するための手段】
【０００６】
上記目的を達成するため、本発明の第１の特徴は、（ａ）患者の有する端末装置から、通信ネットワークを介して、処方箋情報を受信する受信部と、（ｂ）処方箋情報に含まれる薬剤に関する情報を解析する解析部と、（ｃ）解析部によって解析された薬剤に関する情報を出力する出力部と、（ｄ）薬剤に関する情報に基づいて、薬剤の出来上がる時間を予測する時間予測部と、（ｅ）端末装置へ予測した時間を送信する送信部とを備えるサーバ装置であることを要旨とする。
【０００７】
第１の特徴に係るサーバ装置によると、患者が薬剤の出来上がる時間を正確に把握することができる。
【０００８】
又、第１の特徴に係るサーバ装置は、端末装置から薬剤の配送要求を受信した場合、患者の住所及び出来上がった薬剤を関連づけて、配送指示を行う配送指示部を更に備えてもよい。
【０００９】
このサーバ装置によると、患者が直接調剤薬局に薬剤を取りに行く必要がなく、患者が遠隔地に住んでいたとしても、薬剤を容易に手に入れることができる。
【００１０】
又、第１の特徴に係るサーバ装置は、薬剤の費用のうち、患者が負担する費用を計算する計算部を更に備えてもよい。
【００１１】
このサーバ装置によると、患者が処方箋データを送信するだけで、費用の計算、請求を行うことができる。
【００１２】
本発明の第２の特徴は、（ａ）患者の有する端末装置から、通信ネットワークを介して、処方箋情報を受信するステップと、（ｂ）処方箋情報に含まれる薬剤に関する情報を解析するステップと、（ｃ）解析された薬剤に関する情報を出力するステップと、（ｄ）薬剤に関する情報に基づいて、薬剤の出来上がる時間を予測するステップと、（ｅ）端末装置へ予測した時間を送信するステップとを含む調剤情報通知方法であることを要旨とする。
【００１３】
第２の特徴に係る調剤情報通知方法によると、患者が薬剤の出来上がる時間を正確に把握することができる。
【発明の効果】
【００１４】
本発明によると、患者が薬剤の出来上がる時間を正確に把握することが可能なサーバ装置及び調剤情報通知方法を提供することができる。
【発明を実施するための最良の形態】
【００１５】
次に、図面を参照して、本発明の実施の形態を説明する。以下の図面の記載において、同一又は類似の部分には、同一又は類似の符号を付している。ただし、図面は模式的なものであることに留意すべきである。
【００１６】
＜第１の実施の形態＞
（調剤情報通知システムの構成）
第１の実施の形態に係る調剤情報通知システムは、図１に示すように、患者の有する端末装置１０ａ、１０ｂ、１０ｃと、端末装置１０ａ、１０ｂ、１０ｃと通信ネットワーク（例えば、インターネット）１００を介して接続された薬局サーバ２０と、課金サーバ３０と、配送サーバ４０とを備える。
【００１７】
端末装置１０ａ、１０ｂ、１０ｃは、患者の有する装置であり、携帯電話、ＰＨＳ、ＰＣ、ノートＰＣなど、通信ネットワーク１００を介して通信可能な装置であればよい。図１では、端末装置として携帯電話を使用しているため、基地局２００を介して、通信ネットワークへ接続している。
【００１８】
端末装置１０ａ、１０ｂ、１０ｃは、図１に示す処方箋に含まれる情報を薬局サーバ２０へ送信する。以下において、端末装置は、携帯電話などの携帯端末であるとして説明する。
【００１９】
携帯端末１０は、図２に示すように、処理制御装置（ＣＰＵ）を有し、通信部１１、撮影部１２、解析部１３をＣＰＵに内蔵する構成とすることができる。これら各部は、パーソナルコンピュータ等の汎用コンピュータにおいて、所定のプログラム言語を利用するための専用プログラムを実行することにより実現することができる。又、ＣＰＵには、入力部１７、出力部１８、記憶部１９が接続されている。
【００２０】
通信部１１は、通信ネットワーク１００を介して薬局サーバ２０へ接続する。又、通信部１１は、必要に応じて、通信ネットワーク１００を介して課金サーバ３０、配送サーバ４０へ接続する。又、通信部１１は、薬局サーバ２０、課金サーバ３０、配送サーバ４０と情報を送受信する。
【００２１】
撮影部１２は、図１に示す処方箋を画像として取り込む、いわゆるカメラ機能である。撮影部１２は、処方箋全体を画像として取り込んでもよく、処方箋に付された二次元バーコード（図１の処方箋の左下に示す）を画像として取り込んでもよい。処方箋に付された二次元バーコードは、処方箋に記載された情報を含むコードである。図１では、二次元バーコードを示したが、これに限るものではなく、１次元バーコード、１．５次元バーコード、３次元コード、ホログラム、電子透かし、或いは、暗号等を付し、これらを撮影しても構わない。
【００２２】
解析部１３は、撮影部１２が取り込んだ画像を解析し、画像に含まれている情報を取得する。通信部１１は、この取得した情報を薬局サーバ２０へ送信する。尚、携帯端末１０は、解析部１３を備えなくてもよく、取り込んだ画像の解析は、後述する薬局サーバ２０の解析部２２が行ってもよい。この場合、通信部１１は、取り込んだ画像を薬局サーバ２０へ送信する。
【００２３】
入力部１７は、キーボード、マウス等の機器を指す。入力部１７から入力操作が行われると対応するキー情報がＣＰＵに伝達される。
【００２４】
出力部１８は、薬局サーバ２０から送信された薬剤の出来上がり時間などを表示する。尚、出力部１８は、モニタなどの画面を指し、液晶表示装置（ＬＣＤ）、発光ダイオード（ＬＥＤ）パネル、エレクトロルミネッセンス（ＥＬ）パネル等が使用可能である。
【００２５】
記憶部１９は、ＣＰＵにおける演算において、計算途中や解析途中のデータ、受信したデータなどを一時的に保存する。尚、記憶部１９は、ＲＡＭなどの内部記憶装置でもよく、ＨＤなどの外部記憶装置でもよい。
【００２６】
又、図示していないが、携帯端末１０は、通信処理、撮影処理、解析処理などをＣＰＵに実行させるための制御プログラムを保存する記憶媒体であるプログラム保持部を備えてもよい。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００２７】
薬局サーバ２０は、図３に示すように、処理制御装置（ＣＰＵ）を有し、通信部２１、解析部２２、時間予測部２３、費用計算部２４、配送指示部２５をＣＰＵに内蔵する構成とすることができる。これら各部は、パーソナルコンピュータ等の汎用コンピュータにおいて、所定のプログラム言語を利用するための専用プログラムを実行することにより実現することができる。又、ＣＰＵには、入力部２７、出力部２８、記憶部２９が接続されている。
【００２８】
通信部２１は、通信ネットワーク１００を介して携帯端末１０へ接続する。又、通信部２１は、必要に応じて、通信ネットワーク１００を介して課金サーバ３０、配送サーバ４０へ接続する。又、通信部２１は、携帯端末１０、課金サーバ３０、配送サーバ４０と情報を送受信する。
【００２９】
又、通信部２１は、携帯端末１０から、通信ネットワーク１００を介して、処方箋情報を受信する。そして、通信部２１は、携帯端末１０へ予測した薬剤の出来上がり時間を送信する。
【００３０】
解析部２２は、携帯端末１０から受信した画像を解析し、処方箋情報に含まれる薬剤に関する情報を取得する。
【００３１】
時間予測部２３は、薬剤に関する情報に基づいて、薬剤の出来上がる時間を予測する。例えば、時間予測部２３は、現在の薬剤師の人数、薬剤の注文件数、薬剤の原料の在庫量に応じて、薬剤の出来上がる時間を予測する。
【００３２】
費用計算部２４は、薬剤の費用を計算する。そして、通信部２１は、この費用を課金サーバ３０へ送信する。
【００３３】
配送指示部２５は、携帯端末１０から薬剤の配送要求を受信した場合、患者の住所及び出来上がった薬剤を関連づけて、配送指示を行う。そして、通信部２１は、患者の住所及び出来上がった薬剤情報を配送サーバ４０へ送信する。
【００３４】
入力部２７は、キーボード、マウス等の機器を指す。入力部２７から入力操作が行われると対応するキー情報がＣＰＵに伝達される。
【００３５】
出力部２８は、モニタなどの画面を指し、液晶表示装置（ＬＣＤ）、発光ダイオード（ＬＥＤ）パネル、エレクトロルミネッセンス（ＥＬ）パネル等が使用可能である。又、出力部２８は、解析部２２によって解析された薬剤に関する情報を出力する。
【００３６】
記憶部２９は、ＣＰＵにおける演算において、計算途中や解析途中のデータ、受信したデータなどを一時的に保存する。尚、記憶部２９は、ＲＡＭなどの内部記憶装置でもよく、ＨＤなどの外部記憶装置でもよい。
【００３７】
又、図示していないが、薬局サーバ２０は、通信処理、解析処理、時間予測処理、費用計算処理、配送指示処理などをＣＰＵに実行させるための制御プログラムを保存する記憶媒体であるプログラム保持部を備えてもよい。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００３８】
課金サーバ３０は、図４に示すように、処理制御装置（ＣＰＵ）を有し、通信部３１、配分計算部３２、請求部３３をＣＰＵに内蔵する構成とすることができる。これら各部は、パーソナルコンピュータ等の汎用コンピュータにおいて、所定のプログラム言語を利用するための専用プログラムを実行することにより実現することができる。又、ＣＰＵには、入力部３７、出力部３８、記憶部３９が接続されている。
【００３９】
通信部３１は、通信ネットワーク１００を介して携帯端末１０へ接続する。又、通信部３１は、必要に応じて、通信ネットワーク１００を介して薬局サーバ２０、配送サーバ４０へ接続する。又、通信部３１は、携帯端末１０、薬局サーバ２０、配送サーバ４０と情報を送受信する。
【００４０】
又、通信部３１は、薬局サーバ２０から、通信ネットワーク１００を介して、薬剤の費用情報を受信する。
【００４１】
配分計算部３２は、受信した薬剤の費用のうち、患者が負担する費用を計算する。尚、配分計算部３２は、薬局サーバ２０が備える構成としても構わない。
【００４２】
請求部３３は、患者が負担する費用を患者へ請求する。例えば、患者の住所へ請求書を発行したり、患者がカード決済を希望する場合は、カード会社へ請求書を発行したりする。尚、請求部３３は、薬局サーバ２０が備える構成としても構わない。
【００４３】
入力部３７は、キーボード、マウス等の機器を指す。入力部３７から入力操作が行われると対応するキー情報がＣＰＵに伝達される。
【００４４】
出力部３８は、モニタなどの画面を指し、液晶表示装置（ＬＣＤ）、発光ダイオード（ＬＥＤ）パネル、エレクトロルミネッセンス（ＥＬ）パネル等が使用可能である。
【００４５】
記憶部３９は、ＣＰＵにおける演算において、計算途中や解析途中のデータ、受信したデータなどを一時的に保存する。尚、記憶部３９は、ＲＡＭなどの内部記憶装置でもよく、ＨＤなどの外部記憶装置でもよい。
【００４６】
又、図示していないが、課金サーバ３０は、通信処理、配分計算処理、請求処理などをＣＰＵに実行させるための制御プログラムを保存する記憶媒体であるプログラム保持部を備えてもよい。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００４７】
配送サーバ４０は、図５に示すように、処理制御装置（ＣＰＵ）を有し、通信部４１、配送先決定部４２をＣＰＵに内蔵する構成とすることができる。これら各部は、パーソナルコンピュータ等の汎用コンピュータにおいて、所定のプログラム言語を利用するための専用プログラムを実行することにより実現することができる。又、ＣＰＵには、入力部４７、出力部４８、記憶部４９が接続されている。
【００４８】
通信部４１は、通信ネットワーク１００を介して携帯端末１０へ接続する。又、通信部４１は、必要に応じて、通信ネットワーク１００を介して薬局サーバ２０、課金サーバ３０へ接続する。又、通信部４１は、携帯端末１０、薬局サーバ２０、課金サーバ３０と情報を送受信する。
【００４９】
又、通信部４１は、薬局サーバ２０から、患者の住所及び出来上がった薬剤情報を受信する。
【００５０】
配送先決定部４２は、受信した、患者の住所及び出来上がった薬剤情報に基づいて、配送先の住所を決定し、配送会社に薬剤の配送を依頼する。尚、配送先決定部４２は、薬局サーバ２０が備える構成としても構わない。
【００５１】
入力部４７は、キーボード、マウス等の機器を指す。入力部４７から入力操作が行われると対応するキー情報がＣＰＵに伝達される。
【００５２】
出力部４８は、モニタなどの画面を指し、液晶表示装置（ＬＣＤ）、発光ダイオード（ＬＥＤ）パネル、エレクトロルミネッセンス（ＥＬ）パネル等が使用可能である。
【００５３】
記憶部４９は、ＣＰＵにおける演算において、計算途中や解析途中のデータ、受信したデータなどを一時的に保存する。尚、記憶部４９は、ＲＡＭなどの内部記憶装置でもよく、ＨＤなどの外部記憶装置でもよい。
【００５４】
又、図示していないが、配送サーバ４０は、通信処理、配送先決定処理などをＣＰＵに実行させるための制御プログラムを保存する記憶媒体であるプログラム保持部を備えてもよい。記録媒体は、例えば、ＲＡＭ、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００５５】
（調剤情報通知方法）
次に、第１の実施の形態に係る調剤情報通知方法について、図６〜９を用いて説明する。
【００５６】
図６は、薬局サーバ２０が処方箋データを受信し、携帯端末１０へ薬剤の出来上がる時間を通知するフローを示している。
【００５７】
まず、患者は携帯端末１０を用いて、病院から受け取った処方箋を撮影する（Ｓ１０１）。そして、携帯端末１０は、薬局サーバ２０へ処方箋データを送信する（Ｓ１０２）。
【００５８】
次に、薬局サーバ２０は、処方箋データを受信し（Ｓ１０３）、処方箋画像データを解析し、薬剤に関する情報を取得する（Ｓ１０４）。そして、薬剤に関する情報を出力する（Ｓ１０５）。調剤薬局に勤める薬剤師は、この出力された情報をもとに、調剤を行う。
【００５９】
次に、薬局サーバ２０は、薬剤に関する情報、例えば、現在の薬剤師の人数、薬剤の注文件数、薬剤の原料の在庫量に応じて、薬剤の出来上がる時間を予測する（Ｓ１０６）。そして、患者の有する携帯端末１０へ出来上がり時間を送信する（Ｓ１０７）。
【００６０】
携帯端末１０は、出来上がり時間を受信し（Ｓ１０８）、患者は、携帯端末１０から出力された情報によって、出来上がり時間を把握する。そして、患者は出来上がり時間を見計らって、調剤薬局へ薬剤を取りに行く。
【００６１】
又、患者は、調剤薬局へ自ら出向くのではなく、自宅等へ薬剤を配送してもらうこともできる。この場合、患者は、携帯端末１０を利用して、配送先となる自宅住所などを薬局サーバ２０、あるいは、配送サーバ４０へ送信する（Ｓ１０９）。
【００６２】
図７は、薬局サーバ２０が薬剤の費用を計算し、課金サーバ３０が患者へ費用を請求するフローを示している。
【００６３】
まず、薬局サーバ２０は薬剤の費用を計算し（Ｓ２０１）、この計算結果を課金サーバ３０へ送信する（Ｓ２０２）。
【００６４】
課金サーバ３０は、計算結果を受信し（Ｓ２０３）、受信した薬剤の費用のうち、患者が負担する費用を計算する（Ｓ２０４）そして、課金サーバ３０は、患者が負担する費用を患者へ請求する（Ｓ２０５）。例えば、患者の住所へ請求書を発行したり、患者がカード決済を希望する場合は、カード会社へ請求書を発行したりする。
【００６５】
図８は、薬局サーバ２０が薬剤の配送指示をし、配送サーバ４０が配送先を決定するフローを示している。
【００６６】
まず、薬局サーバ２０は、患者は配送を希望する場合、配送サーバ４０へ配送指示を送信する（Ｓ３０１）。
【００６７】
配送サーバ４０は、配送指示を受信し（Ｓ３０２）、配送先の確認が必要か否か判断する。既に、薬局サーバ２０から配送先情報が送信されていたり、配送サーバ４０内に配送先情報が蓄積されていたりする場合は、配送先の確認は不要である。ここで、配送サーバ４０は、患者ＩＤと住所情報とを関連づけて、記憶部に保持していてもよい。例えば、一度目の配送においては、患者から住所情報を受信するが、二度目以降の配送においては、記憶部に保持した住所情報に基づいて配送を行ってもよい。
【００６８】
住所の確認が必要な場合は、配送サーバ４０は、携帯端末１０へ問い合わせを行う（Ｓ３０４）。携帯端末１０は、配送先情報を配送サーバ４０へ送信し（Ｓ３０５）、これを受信した配送サーバ（Ｓ３０６）は、受信した、患者の住所及び出来上がった薬剤情報に基づいて、配送先の住所を決定し、配送会社に薬剤の配送を依頼する（Ｓ３０７）。
【００６９】
（作用及び効果）
第１の実施の形態に係るサーバ装置及び調剤情報通知方法によると、患者が送信した処方箋データに基づいて、薬剤の出来上がる時間を予測することができる。このため、患者は、調剤薬局へ出向くことなく、薬剤の出来上がる時間を正確に把握することができる。
【００７０】
又、第１の実施の形態に係るサーバ装置及び調剤情報通知方法によると、出来上がった薬剤は、配送によって患者のもとへ届けることもできる。このため、患者は、調剤薬局へ一度も出向くことなく、薬剤を容易に手に入れることができる。例えば、患者が遠隔地に住んでいた場合、あるいは、調剤薬局へ行く時間がない場合にも、薬剤を容易に手に入れることができる。
【００７１】
又、第１の実施の形態に係るサーバ装置及び調剤情報通知方法によると、薬剤の費用のうち、患者が負担する費用を計算し、患者へ請求することができる。このため、患者は、調剤薬局へ一度も出向くことなく、薬剤費用の精算まで済ますことができる。
【００７２】
今日の医薬品業界では、「医薬分業」が求められている。「医薬分業」とは、医療の専門家である医師と薬剤師、それぞれが明確な役割を持って患者に対処する制度である。しかしながら、現在においても、未だ病院から薬剤を受け取るなど、医薬分業が完全には行われていない状況である。
【００７３】
本発明においては、患者が遠隔地に住んでおり、近くに調剤薬局が無い場合でも、調剤薬局に出向く必要がないため、容易に調剤薬局から薬剤を入手することができる。このため、医薬分業への一助となることが期待される。
【００７４】
＜第２の実施の形態＞
第１の実施の形態では、患者が携帯端末１０を用いて処方箋データの送信を行っていたが、第２の実施の形態では、処方箋データが健康保険証に保持される場合について説明する。
【００７５】
図９に示すように、健康保険証６０は、ＩＣチップ６１を有し、ＩＣチップ６１内に、処方箋データが保持される。
【００７６】
この使用方法としては、例えば、病院において、このＩＣチップ６１に処方箋データを記憶させる。患者は、健康保険証６０を調剤薬局へ持参する。そして、調剤薬局に設置されたＩＣリーダーによって、ＩＣチップ６１内の処方箋データを読み取らせる。
【００７７】
このＩＣチップ６１内に、患者の住所情報や費用の請求先（カード番号など）を保持することとすると、健康保険証６０を持っているだけで、薬剤の配送や費用請求を行うことができる。
【００７８】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７９】
例えば、第１の実施の形態において、薬局サーバ２０、課金サーバ３０、配送サーバ４０を分けて備えると説明したが、すべての機能を有する１のサーバを備えても構わない。
【００８０】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００８１】
【図１】第１の実施の形態に係る調剤情報通知システムの構成ブロック図である。
【００８２】
【図２】第１の実施の形態に係る携帯端末の構成ブロック図である。
【図３】第１の実施の形態に係る薬局サーバの構成ブロック図である。
【図４】第１の実施の形態に係る課金サーバの構成ブロック図である。
【図５】第１の実施の形態に係る配送サーバの構成ブロック図である。
【図６】第１の実施の形態に係る調剤情報通知を示すフローチャートである（その１）。
【図７】第１の実施の形態に係る調剤情報通知を示すフローチャートである（その２）。
【図８】第１の実施の形態に係る調剤情報通知を示すフローチャートである（その３）。
【図９】第２の実施の形態に係る健康保険証の一例である。
【符号の説明】
【００８３】
１０…携帯端末
１１…通信部
１２…撮影部
１３…解析部
１７…入力部
１８…出力部
１９…記憶部
２０…薬局サーバ
２１…通信部
２２…解析部
２３…時間予測部
２４…費用計算部
２５…配送指示部
２７…入力部
２８…出力部
２９…記憶部
３０…課金サーバ
３１…通信部
３２…配分計算部
３３…請求部
３７…入力部
３８…出力部
３９…記憶部
４０…配送サーバ
４１…通信部
４２…配送先決定部
４７…入力部
４８…出力部
４９…記憶部
６０…健康保険証
６１…ＩＣチップ
１００…通信ネットワーク
２００…基地局
【図１】
2007188435.tif 000003
【図２】
2007188435.tif 000004
【図３】
2007188435.tif 000005
【図４】
2007188435.tif 000006
【図５】
2007188435.tif 000007
【図６】
2007188435.tif 000008
【図７】
2007188435.tif 000009
【図８】
2007188435.tif 000010
【図９】
2007188435.tif 000011